(57)【要約】      （修正有）【課題】シリーズ番組の検索および予約録画が簡単に行えるようにした番組表搭載デジタル放送受信機を提供する。【解決手段】入力手段からの指令を受け、記憶手段に記憶させた番組情報に基いてＥＰＧを作成し、この作成したＥＰＧを表示装置にＥＰＧ画面４１として表示させ、かつ、番組をグループとして扱うシリーズ番組情報一覧４２をＥＰＧ画面４１と同一画面に表示し、ＥＰＧ画面４１でフォーカスされた番組がシリーズ番組である場合、シリーズ番組一覧４２にそのシリーズ情報を表示するとともに、そのシリーズ情報のうち情報が取得できない放送回については、その残話数の情報をもとに録画の仮予約を行い、情報が取得できたときに録画の本予約を実行するように制御する制御手段とを備えたことを特徴とするデジタル放送受信機。【選択図】図２
2006115228.tif 000002
【特許請求の範囲】
【請求項１】
放送局から発信されるデジタル／アナログ放送信号を受信する受信手段と、
この受信手段が受信した放送信号を復号するデジタル／アナログ復号手段と、
このデジタル／アナログ復号手段が復号した復号信号を映像表示が可能な信号に変換し
て表示装置に出力する信号変換手段と、
前記表示装置に所定のＯＳＤ表示をさせるＯＳＤ表示手段と、
番組選択等の各種指令を入力するための入力手段と、
前記デジタル／アナログ復号手段が復号した復号信号に含まれる番組情報を記憶する記
憶手段と、
前記各手段を制御するとともに、前記入力手段からの指令を受け、前記記憶手段に記憶
させた番組情報に基いてＥＰＧを作成し、この作成したＥＰＧを前記ＯＳＤ表示手段を介
して前記表示装置にＥＰＧ画面として表示させ、かつ、番組をグループとして扱うシリー
ズ番組情報一覧を前記ＥＰＧ画面と同一画面に表示し、前記ＥＰＧ画面でフォーカスされ
た番組がシリーズ番組である場合、前記シリーズ番組情報一覧にそのシリーズ情報を表示
するとともに、そのシリーズ情報のうち情報が取得できない放送回については、その残話
数の情報をもとに録画の仮予約を行い、情報が取得できたときに録画の本予約を実行し、
また、点灯ランプの色彩または文字により仮予約と本予約を区別できるように当該放送回
の画像を表示するとともに、前記シリーズ番組の最終放送日を過ぎても予約がある場合、
予約を破棄する制御手段と、を備えたことを特徴とする番組表搭載デジタル放送受信機。
【請求項２】
放送局から発信される放送信号を受信する受信手段と、
この受信手段が受信した放送信号を映像表示が可能な信号に変換して表示装置に出力す
る信号変換手段と、
番組選択等の各種指令を入力するための入力手段と、
番組情報を記憶する記憶手段と、
前記各手段を制御するとともに、前記入力手段からの指令を受け、前記記憶手段に記憶
させた番組情報に基いてＥＰＧを作成し、この作成したＥＰＧを前記表示装置にＥＰＧ画
面として表示させ、かつ、番組をグループとして扱うシリーズ番組情報一覧を前記ＥＰＧ
画面と同一画面に表示し、前記ＥＰＧ画面でフォーカスされた番組がシリーズ番組である
場合、前記シリーズ番組情報一覧にそのシリーズ情報を表示するとともに、そのシリーズ
情報のうち情報が取得できない放送回については、その残話数の情報をもとに録画の仮予
約を行い、情報が取得できたときに録画の本予約を実行するように制御する制御手段と、
を備えたことを特徴とする番組表搭載デジタル放送受信機。
【請求項３】
前記制御手段は、点灯ランプの色彩または文字により仮予約と本予約を区別できるよう
に前記放送回の画像を表示することを特徴とする請求項２記載の番組表搭載デジタル放送
受信機。
【請求項４】
前記制御手段は、前記シリーズ番組の最終放送日を過ぎても予約がある場合、予約を破
棄することを特徴とする請求項２または３に記載の番組表搭載デジタル放送受信機。
【発明の詳細な説明】
【技術分野】
【０００１】
この発明は、例えばＢＳ（Broadcasting Satellite）デジタル放送やＣＳ（Communicat
ion Satellite）デジタル放送、あるいは地上波デジタル放送において、番組選択や録画
予約を行う番組表を搭載した番組表搭載デジタル放送受信機に関する。
【背景技術】
【０００２】
近年、デジタル放送などの分野では、ＭＰＥＧの画像圧縮技術の利用により、多チャン
ネルの番組を広範囲にわたった放送サービスが提供されつつある。しかしながら、チャン
ネル数の増加によって、新聞や雑誌のような印刷物による番組表から当日、翌日、１週間
後などの番組を探し出してチャンネル選択や録画予約を行うことは、多くのユーザにとっ
て煩雑なものとなっている。そこで、その対策としてユーザがＴＶ画面上で番組検索や選
択ならびに録画予約等をできるように、番組情報など番組表を作るために必要なデータを
画像データや音声データとともに多重化して放送し、そして、デジタル放送チューナなど
でこの番組表に必要なデータを受信するとともに、この受信データに基づきデジタル放送
チューナなどで番組表を作成してテレビジョン装置などに映し出す電子番組表（以下、Ｅ
ＰＧと称す）が使用されるようになってきており、ＥＰＧによるさまざまな番組表機能が
開発されている。
【０００３】
例えば、特許文献１には、シリーズ情報復調手段で復調されたシリーズ記述子を用いて
予約できなかった番組を検出し、その抜け番組の再録画を自動的に行うことができるデジ
タル放送受信機が開示されている。
【特許文献１】特開２００２−３５４３５４号公報
【発明の開示】
【発明が解決しようとする課題】
【０００４】
テレビ番組には、毎日、毎週１回、月曜から金曜まで毎日放送する番組、あるいはサッ
カー中継のように月に何回かの不定期に放送する番組等、番組を所定のグループとして扱
うシリーズ番組がある。従来、このようなシリーズ番組を検索しあるいは録画予約を行う
際は、ＥＰＧ画面から検索するしかないため、例えば、１週間先のシリーズ番組をＥＰＧ
画面に表示させる場合、リモコンのキー操作で１週間先にＥＰＧ画面を遷移させなければ
ならず、リモコン操作が面倒である。さらにまた、サッカー中継のように日程や時間が不
定期の番組では、ＥＰＧ画面には表示できないことがあり、その場合は検索が困難である
という問題があった。
【０００５】
上述のように、特許文献１には、一般のＥＰＧ番組表とは別にシリーズ番組の一覧のみ
を表示させて録画抜けを検索し、抜けている放送回を自動的に録画するものであるが、シ
リーズ番組を特別に表示する画面から予約を実行するものであり、通常のＥＰＧ番組表か
らシリーズ番組の一覧に画面を切り替える必要がある。ＥＰＧ番組表で例えば一週間分の
通常番組を含む放送予定を参照したり、検索および予約録画しつつ、シリーズ番組を検索
及び予約録画できるものではない。また、現在取得しているＥＰＧ情報においてシリーズ
番組の全ての放送回分の情報が取得できているとは限らず、情報が未取得のシリーズ番組
について予約をすることはできない。
【０００６】
本発明の目的は、全ての放送回の情報が取得できていない場合にも、シリーズ番組の検
索および予約録画が簡単に行えるようにした番組表搭載デジタル放送受信機を提供するこ
とにある。
【課題を解決するための手段】
【０００７】
第１発明に係る番組表搭載デジタル放送受信機は、放送局から発信されるデジタル／ア
ナログ放送信号を受信する受信手段と、この受信手段が受信した放送信号を復号するデジ
タル／アナログ復号手段と、このデジタル／アナログ復号手段が復号した復号信号を映像
表示が可能な信号に変換して表示装置に出力する信号変換手段と、前記表示装置に所定の
ＯＳＤ表示をさせるＯＳＤ表示手段と、番組選択等の各種指令を入力するための入力手段
と、前記デジタル／アナログ復号手段が復号した復号信号に含まれる番組情報を記憶する
記憶手段と、前記各手段を制御するとともに、前記入力手段からの指令を受け、前記記憶
手段に記憶させた番組情報に基いてＥＰＧを作成し、この作成したＥＰＧを前記ＯＳＤ表
示手段を介して前記表示装置にＥＰＧ画面として表示させ、かつ、番組をグループとして
扱うシリーズ番組情報一覧を前記ＥＰＧ画面と同一画面に表示し、前記ＥＰＧ画面でフォ
ーカスされた番組がシリーズ番組である場合、前記シリーズ番組情報一覧にそのシリーズ
情報を表示するとともに、そのシリーズ情報のうち情報が取得できない放送回については
、その残話数の情報をもとに録画の仮予約を行い、情報が取得できたときに録画の本予約
を実行し、また、点灯ランプの色彩または文字により仮予約と本予約を区別できるように
当該放送回の画像を表示するとともに、前記シリーズ番組の最終放送日を過ぎても予約が
ある場合、予約を破棄する制御手段と、を備えたことを特徴とする
この番組表搭載デジタル放送受信機によれば、ＥＰＧ画面とシリーズ番組情報一覧画面
が同時に表示されるため、ＥＰＧ画面で選択した番組からシリーズ番組の詳細情報が簡単
に検索でき、予約録画も簡単に行うことができるとともに、そのシリーズ情報のうち情報
が取得できない放送回については録画の仮予約を行い、情報が取得できたときに録画の本
予約を実行するので、シリーズ一括予約と異なり、ＥＰＧの番組情報に基いて個別の番組
が録画予約でき、情報未取得の放送回についても仮予約として録画予約を行うことができ
る。さらに、仮予約と本予約が点灯表示で区別するので、ユーザが仮予約、本予約を容易
に認識することができる。また、放送日、放送開始時間、放送終了時間が未定の放送回を
仮予約した場合に、その放送回が放送されることなく最終放送日を過ぎた場合等、最終放
送日が過ぎても予約が残っている場合には、自動的に予約を無効化できる。
【０００８】
第２発明に係る番組表搭載デジタル放送受信機は、放送局から発信される放送信号を受
信する受信手段と、この受信手段が受信した放送信号を映像表示が可能な信号に変換して
表示装置に出力する信号変換手段と、番組選択等の各種指令を入力するための入力手段と
、
番組情報を記憶する記憶手段と、前記各手段を制御するとともに、前記入力手段からの指
令を受け、前記記憶手段に記憶させた番組情報に基いてＥＰＧを作成し、この作成したＥ
ＰＧを前記表示装置にＥＰＧ画面として表示させ、かつ、番組をグループとして扱うシリ
ーズ番組情報一覧を前記ＥＰＧ画面と同一画面に表示し、前記ＥＰＧ画面でフォーカスさ
れた番組がシリーズ番組である場合、前記シリーズ番組情報一覧にそのシリーズ情報を表
示するとともに、そのシリーズ情報のうち情報が取得できない放送回については、その残
話数の情報をもとに録画の仮予約を行い、情報が取得できたときに録画の本予約を実行す
るように制御する制御手段と、を備えたことを特徴とする。
【０００９】
この番組表搭載デジタル放送受信機によれば、ＥＰＧ画面と現視聴番組のシリーズ番組
情報一覧画面が同時に表示されるため、ＥＰＧ画面で選択した番組からシリーズ番組の詳
細情報が簡単に検索でき、予約録画も簡単に行うことができるとともに、そのシリーズ情
報のうち情報が取得できない放送回については録画の仮予約を行い、情報が取得できたと
きに録画の本予約を実行するので、シリーズ一括予約と異なり、ＥＰＧの番組情報に基い
て個別の番組が録画予約でき、情報未取得の放送回についても仮予約として録画予約を行
うことができる。
【００１０】
第３発明に係る番組表搭載デジタル放送受信機は、第２発明に係る番組表搭載デジタル
放送受信機において、前記制御手段は、点灯ランプの色彩または文字により仮予約と本予
約を区別できるように前記放送回の画像を表示することを特徴とする。
【００１１】
この番組表搭載デジタル放送受信機によれば、、仮予約と本予約が点灯表示で区別する
ので、ユーザが仮予約、本予約を容易に認識することができる。  第４発明に係る番組表
搭載デジタル放送受信機は、第２または第３発明に係る番組表搭載デジタル放送受信機に
おいて、前記制御手段は、前記シリーズ番組の最終放送日を過ぎても予約がある場合、予
約を破棄することを特徴とする。
【００１２】
放送日、放送開始時間、放送終了時間が未定の放送回を仮予約した場合に、その放送回
が放送されることなく最終放送日を過ぎた場合等、最終放送日が過ぎても予約が残ってい
る場合には、自動的に予約を無効化できる。
【発明を実施するための最良の形態】
【００１３】
以下、本発明の実施の形態を図面に基づいて説明する。
【００１４】
図１は、本実施形態によるデジタル／アナログ放送受信装置のブロック構成を示してい
る。
【００１５】
デジタル／アナログ放送受信装置（ＳＴＢ）１には、放送局から所定周波数の高周波電
波で発信されるテレビ放送信号を受信するためのアンテナ２０と、テレビ放送の映像を映
し出すためのテレビモニタ（表示装置）３０が接続される。放送受信装置１は、放送局か
ら発信されるＡＴＳＣ放送信号やＮＴＳＣ放送信号をアンテナ２０を介して受信し、これ
らの放送信号により配信されるテレビ番組の映像をテレビモニタ３０に映し出すための装
置である。
【００１６】
放送受信装置１は、リモコン（入力手段）２からの入力信号を受信するリモコン受信部
３と、チューナ（受信手段）４と、ＮＴＳＣデコーダ（アナログ復号手段）５と、ＭＰＥ
Ｇエンコーダ６と、ＡＴＳＣフロントエンド（デジダル復号手段）７と、ＭＰＥＧデコー
ダバックエンド（信号変換手段）９と、ＯＳＤ回路１０と、メモリ１１と、制御部（制御
手段、検索手段、色変更制御手段、ハイライト表示制御手段、警告手段）１３とから構成
されている。
【００１７】
リモコン２は、視聴するテレビ番組のチャンネル選局、テレビ番組の視聴予約及び、Ｅ
ＰＧ画面の表示等の各種操作を行うためのものであり、ユーザにより操作される。リモコ
ン２は、これら各種の操作を可能とするため、後述のような各種操作ボタンを備えており
、各種操作ボタンを操作すると、その操作に応じた赤外線信号等の無線信号を送出する。
【００１８】
リモコン受信部３は、リモコン２から送出された信号を受信し、リモコン２での操作に
対応する信号を制御部１３へ出力する。チューナ４は、その受信周波数をリモコン２で選
局操作されたチャンネルに対応する周波数に同調させることにより、選局操作されたチャ
ンネルのテレビ放送信号をアンテナ２０を介して受信する。
【００１９】
ＮＴＳＣデコーダ５は、リモコン２によりＮＴＳＣ（National Television Systems Co
mmittee）放送のチャンネルが選局された場合、チューナ４で受信したＮＴＳＣ放送信号
をテレビ番組の映像信号と音声信号に復調し、その映像信号と音声信号をＭＰＥＧエンコ
ーダ６へ出力する。ＭＰＥＧエンコーダ６は、ＮＴＳＣデコーダ５から出力された映像信
号と音声信号をＭＰＥＧ規格でデジタル圧縮符号化し、ＭＰＥＧデコーダバックエンド９
へ出力する。
【００２０】
ＡＴＳＣフロントエンド７は、リモコン２によりＡＴＳＣ放送のチャンネルが選局され
た場合、チューナ４で受信した８ＶＳＢ方式で変調されたＡＴＳＣ放送信号を、ＭＰＥＧ
規格でデジタル圧縮符号化された複数のテレビ番組の映像と音声、及び電子番組情報等の
信号が時分割多重化された状態のＴＳ信号に復調する。そして、ＡＴＳＣフロントエンド
７は、このＴＳ信号から、リモコン２で選局されたチャンネルのテレビ番組の映像信号と
音声信号を分離抽出してＭＰＥＧデコーダバックエンド９へ出力すると共に、電子番組情
報を抽出して制御部１３へ出力する。この電子番組情報には、各番組の番組名、番組説明
及びユーザの視聴を制限するためのレイティング情報などが含まれる。
【００２１】
ＭＰＥＧデコーダバックエンド９には、ＭＰＥＧエンコーダ６及びＡＴＳＣフロントエ
ンド７から出力されるＭＰＥＧ規格によりデジタル圧縮符号化された映像信号と音声信号
が入力される。ＭＰＥＧデコーダバックエンド９は、これらの映像信号と音声信号をデジ
タル圧縮符号化される前の信号に復号することで、テレビモニタ３０に映像を映し出すと
共に音声を出力するための信号を生成する。ＭＰＥＧデコーダバックエンド９から出力さ
れた映像信号は、ＯＳＤ回路１０を介してテレビモニタ３０へ出力される。
【００２２】
ＯＳＤ回路１０は、ＭＰＥＧデコーダバックエンド９から出力される映像信号にチャン
ネル番号やＥＰＧ画面等の所定のオンスクリーン表示データを重畳する。これにより、テ
レビモニタ３０には、テレビ番組の映像にオンスクリーン表示データによる画像が重ねて
表示される。
【００２３】
メモリ１１は、各チャンネルのテレビ放送信号の周波数データ及び各種のオンスクリー
ン表示データを記憶している。また、メモリ１１は、ＡＴＳＣフロントエンド７が抽出し
た電子番組情報を記憶する。
【００２４】
制御部１３は、リモコン２によりＮＴＳＣ放送のチャンネルが選局された場合には、チ
ューナ４に対して選局されたチャンネルのＮＴＳＣ放送信号を受信させると共に、ＮＴＳ
Ｃデコーダ５に対して映像信号と音声信号を復調再生させる。また、リモコン２によりＡ
ＴＳＣ放送のチャンネルが選局された場合には、チューナ４に対して選局されたチャンネ
ルのＡＴＳＣ放送信号を受信させ、ＡＴＳＣフロントエンド７に対して選局されたチャン
ネルの映像信号と音声信号を分離抽出させる。
【００２５】
また、制御部１３は、チューナ４に対してＡＴＳＣ放送信号を受信させ、ＡＴＳＣフロ
ントエンド７から出力される電子番組情報をメモリ１１に記憶させる。そして、リモコン
２によりＥＰＧ画面の表示操作が行われると、メモリ１１に記憶させた電子番組情報を参
照して、ＥＰＧの番組選択画面の表示画像を作成し、その画像信号をＯＳＤ回路１０へ出
力する。これにより、ＥＰＧの番組選択画面がテレビモニタ３０に表示される。次に、こ
の実施の形態のチューナ１から出力される番組表の構成例を説明する。
【００２６】
図２は、チューナ１から表示信号として出力されテレビモニタ３０に映し出される番組
表の一例を示す画像図である。
【００２７】
ＥＰＧボタンを押すと、ＥＰＧ画面４１（通常の番組表）及びシリーズ番組情報表示部
４２が表示され、現在視聴中の番組（この例では、「連ドラ・ＡＡＡ」がフォーカスされ
る）。なお、ここにいうフォーカスとは、その部分の光度を強くしたり、点滅させたり、
反転させたり等により、他の部分と区別できるようにすることである。この例では、フォ
ーカスは太枠で表されている。同図に示すように、この番組表４０は、ある年月日（この
例では、２００４年６月４日(金)）における、ＥＰＧ画面４１と、このＥＰＧ画面４１の
右側に表示されるシリーズ番組情報表示部４２とが同時に一画面に表示されたものである
。シリーズ番組は、例えば、毎日、月曜から金曜に毎日、毎週１回、月１回のように規則
的に放映される番組、あるいはサッカー中継等のように不定期な番組である。ＥＰＧ画面
４１及びシリーズ番組情報表示部４２の表示は、電子番組情報（ＥＰＧ情報）から取得さ
れる。
【００２８】
ＥＰＧ画面４１は、縦軸に放送局名４３、横軸に時間４４およびそれぞれの時間におけ
る番組名４５を表示したもので、従来から用いられている通常のものである。ＥＰＧ画面
４１には、スクロールバー４１ａが設けられており、これをリモコン２で操作することに
より、画面をスクロールさせて、現在画面表示されていない番組を表示できるようになっ
ている。
【００２９】
ここでは、ＥＰＧ画面４１において、現在視聴中の番組「連ドラ・ＡＡＡ」がフォーカ
スされ、シリーズ番組情報表示部４２には、ＥＰＧ画面４１でフォーカスされた「連ドラ
・ＡＡＡ」の番組内容一覧、即ち「連ドラ・ＡＡＡ」の各放送回の一覧が表示される。ま
た、シリーズ番組情報表示部４２では、ＥＰＧ画面４１でフォーカスされている番組「連
ドラ・ＡＡＡ」に対応する放送回（ここでは、２００４年６月４日、第６話）をフォーカ
スし、フォーカス移動可能とする。ここでは、フォーカスを太枠で表示し、フォーカス移
動可能であることを網掛で表している。この状態では、シリーズ番組情報表示部４２にお
いてフォーカス移動可能であるが、リモコン、ソフトキー等に設けられる切替キーにより
、ＥＰＧ画面４１とシリーズ番組情報表示部４２との間でアクティブ（フォーカス移動可
能な画面）を切り替えることができる。例えば、図２の画面において、切替キーの押下に
よりＥＰＧ画面４１でフォーカスを移動可能とし、ＥＰＧ画面４１においてフォーカスを
他のシリーズ番組「クッキングＡ」に移動すれば、シリーズ番組情報表示部４２には、「
クッキングＡ」の各放送回の一覧が表示される。
【００３０】
また、図２では、ＥＰＧ画面４１でフォーカスされている番組「連ドラ・ＡＡＡ」に関
する番組情報（番組名、出演者、番組内容等）が、ＥＰＧ画面４１の下部に表示される。
この番組情報は、フォーカスされている番組がシリーズ番組か否かに関わらず表示される
。また、シリーズ番組情報表示部４２でフォーカスされているシリーズ番組「連ドラ・Ａ
ＡＡ」のシリーズ情報（シリーズ名、週１回、編成、残話数、最終放送日等）が、シリー
ズ情報表示部４２の下部に表示される。番組情報およびシリーズ情報は、ＥＰＧ情報から
取得される。
【００３１】
図２の例では、シリーズ番組情報表示部４２において、「連ドラ・ＡＡＡ」の各放送回
のうち、ＥＰＧ情報を取得済みの放送回については、放送日、放送開始時間、放送終了時
間が表示される。また、ＥＰＧ情報を未取得の放送回についても、非表示とせず、放送日
、放送開始時間、放送終了時間を未確定の表示（xxx）で、当該放送回を表示する。
【００３２】
これらの処理は制御部１３により実行される。具体的には、制御部１３は、ＥＰＧ情報
に含まれるシリーズ情報から、最終放送日、編成（毎週１回、毎日、月曜日から金曜日、
不定期等）、残話数等を取得し、ＥＰＧ画面４１及びシリーズ番組情報表示部４２を表示
時点で、最終放送日を過ぎていない残話数を算出し、ＥＰＧ取得済み及び未取得の放送回
をシリーズ番組情報表示部４２に表示する。ＥＰＧ取得済みの放送回については、放送日
、放送開始時刻、放送終了時間とともに表示する。一方、ＥＰＧ未取得の放送回について
は、放送予定があることはシリーズ情報から分かるが、放送日、放送開始時間、放送終了
時間が取得されていないので、放送日、放送開始時間、放送終了時間が未確定の表示（xx
x）とともに表示する。放送日等の未定の表示としては、「xxx」以外であっても良く、例
えば、「---」であっても良い。
【００３３】
なお、上記処理は、不定期以外のシリーズ番組について実行され、不定期のシリーズ番
組に対しては、取得済みの番組情報から、シリーズＩＤをもとに全番組を検索することに
より、不規則番組の検索を実行する。即ち、ＥＰＧ情報取得済みの放送回のみをシリーズ
番組情報表示部４２に表示する。
【００３４】
図２のシリーズ番組情報表示部４２では、ＥＰＧ情報取得済みの放送回について録画予
約可能であるとともに、ＥＰＧ情報未取得の放送回について録画予約可能である。具体的
には、ＥＰＧ情報取得済みの第６話を録画予約することができるとともに、ＥＰＧ情報未
取得の第８話、第９話も録画予約することができる。ＥＰＧ情報未取得の放送回第８話、
第９話の録画予約がされた場合、制御部１３は、放送日、放送開始時間、放送終了時間等
が未確定のまま当該放送回の録画予約を受け付け、当該放送回のＥＰＧ情報を取得した時
点で、当該放送回の放送日、放送開示時間、放送終了時間を確定させ、それらの情報に基
づいて録画予約を確定させる。制御部１３は、ＥＰＧ情報の取得によって仮予約の放送回
の予約を確定させると、通常の録画予約と同様にして放送時間の到来を待って録画を実行
する。シリーズ番組情報表示部４２における各放送回の予約は、所望の放送回にフォーカ
スを移動後、リモコン２やソフトキーの「決定キー」を押下することにより行われる。
【００３５】
また、ＥＰＧ情報未取得で録画予約を受け付けた放送回は仮予約として例えば「仮」の
マークを当該放送回の欄に表示し、当該放送回のＥＰＧ情報を取得した時点で、当該放送
回を本予約したとして、「仮」のマークを消去、または「仮」のマークを「本」（本予約
）のマークに変更しても良い。また、仮予約、本予約の区別は、上記のような文字だけで
なく、仮予約された放送回と、本予約された放送回とを色彩で区別するようにしてもよい
。
【００３６】
また、制御部１３は、最終放送日（この例では、「連ドラ・ＡＡＡ」の最終放送日は、
２００４年７月２日）を過ぎても予約があるか否かを監視し、最終放送日を過ぎても、そ
のシリーズ番組の予約がある場合には、予約は無効と判断され、この場合は予約そのもの
を破棄する。例えば、放送日、放送開始時間、放送終了時間が未定の放送回を仮予約した
場合に、何らかの原因でその放送回が放送されることなく最終放送日を過ぎた場合等、最
終放送日が過ぎても予約が残っている場合には、自動的に予約を無効化でき、ユーザが手
動で削除する手間が省ける。
【図面の簡単な説明】
【００３７】
【図１】本発明の一実施形態による放送受信装置のブロック構成図。
【図２】シリーズ番組の録画予約を説明する画面例。
【符号の説明】
【００３８】
１  デジタル／アナログ放送受信機
２  リモコン（入力手段）
４  チューナ（受信手段）
５  ＮＴＳＣデコーダ（アナログ復号手段）
７  ＡＴＳＣフロントエンド（デジダル復号手段）  
８  ＭＰＥＧデコーダバックエンド（信号変換手段）
９  ＯＳＤ回路（ＯＳＤ表示手段）
１１  メモリ（記憶手段）
１３  制御手段
３０  表示装置
４１  ＥＰＧ画面
４２  シリーズ番組情報表示部
【図１】
2006115228.tif 000003
【図２】
2006115228.tif 000004